(57)【要約】      （修正有）【課題】電柱に対する腕金の、安定した取付け状態を得る。【解決手段】縦部片１ａ，２ａに上下の部片１ｂ，２ｂ、１ｃ，２ｃを相対して連設した内外枠１，２を、前記上下の各部片１ｂ，２ｂ、１ｃ，２ｃと、前記上部片間と各下部片間に介在させた、バンド片５のそれぞれのなす環状の基部５ｂとに貫通させた軸ボルト６と該軸ボルト６に螺合したナット７によって互いに組付け、電柱Ｄを巻回した前記各バンド片５，５の先端側の緊締受部片５ａ，５ａを締付けボルト８と該ボルト８に螺合したナット９によって互いに締付けて前記上下枠１，２を前記電柱面Ｄに締付ける。また、内枠１の前記上下部片１ｂ，１ｃ間に該上下部片１ｂ，１ｃ間の離開幅より径の広い部分を備えた頭部１２ａを挟入した支持ボルト１２の、内外枠１，２の縦部片１ａ，２ａを通じた先端１２ｂを、外枠の前記縦部片２ａの前面に重ね合わせた腕金１６を貫通させてナット１８を螺合する。【選択図】  図１
2005006410.tif 000002
【特許請求の範囲】
【請求項１】
縦部片に上下の部片を相対して連設した内外枠を、前記上下の各部片と、前記上部片間と各下部片間に介在させた、バンド片のそれぞれのなす環状の基部とに貫通させた軸ボルトと該軸ボルトに螺合したナットによって互いに組付け、電柱を巻回した前記各バンド片の先端側の緊締受部片を締付けボルトと該ボルトに螺合したナットによって互いに締付けて前記上下枠を前記電柱面に締付けると共に、内枠の前記上下部片間に該上下部片間の離開幅より径の広い部分を備えた頭部を挟入した支持ボルトの、内外枠の縦部片を通じた先端を、外枠の前記縦部片の前面に重ね合わせた腕金を貫通させてナットを螺合した、電柱用腕金取付け装置。
【発明の詳細な説明】
【０００１】
【産業上の利用分野】
本発明は電柱用腕金取付け装置に関するものである。
【０００２】
【従来の技術】
バンド中央片に透孔を列設し、適宜の透孔にボルトを貫通させて前記バンド中央片の両端に緊締片を組付けたバンドタイの緊締片と、互いに平行させたＴ型の一対の横杆の一辺上にＶ字形断面を有する一対の防傾材を直角にわたして互いに熔接した腕金支持金物の防傾材とを互いにボルト締めして電柱面に取付け、前記腕金支持金物の横杆の他片間に腕金を挟装してボルトとナットによって前記防傾材に締付ける構造のものがある（例えば、特許文献１）
【特許文献１】
実公平３−１０２９１号公報
【０００３】
【発明が解決しようとする課題】
前記従来例は、一対の横杆と一対の防傾材を互いに熔接して構成した腕金支持金物と、バンド中央片と緊締片をボルトで互いに組付けたバンド体とを組合わせて腕金を支持するものであるから、構造が複雑で、従って、構成部材の取扱いが煩雑である。
【０００４】
また、腕金に貫通させたボルトとこれに螺合したナットによって前記腕金支持金物に腕金を支持させるようにしたものと、Ｕ字状のボルト腕金を抱えさせてこれにナットを螺合するようにして前記腕金支持金物に支持させるようにした構造のものが、前記文献に開示されているが、前者はナットの締付けに伴ってボルトが共廻りするおそれがあり、後者はＵ字ボルトと腕金の接触抵抗によって腕金のずれを防ぐようにしているため腕金のずれ防止に必ずしも万全とはいえない。
【０００５】
本発明は、電柱に対する腕金の安定した取付け状態を得られる装置を提供すべく創案したものである。
【０００６】
【課題を解決するための手段】
縦部片に上下の部片を相対して連設した内外枠を、前記上下の各部片と、前記上部片間と各下部片間に介在させた、バンド片のそれぞれのなす環状の基部とに貫通させた軸ボルトと該軸ボルトに螺合したナットによって互いに組付け、電柱を巻回した前記各バンド片の先端側の緊締受部片を締付けボルトと該ボルトに螺合したナットによって互いに締付けて前記上下枠を前記電柱面に締付けると共に、内枠の前記上下部片間に該上下部片間の離開幅より径の広い部分を備えた頭部を挟入した支持ボルトの、内外枠の縦部片を通じた先端を、外枠の前記縦部片の前面に重ね合わせた腕金を貫通させてナットを螺合した構成としたものである。
【０００７】
【発明の実施の形態】
図面は本発明に係る電柱用腕金取付け装置の一実施形態を示し、図１は一部欠截平面図、図２は縦断面図である。
【０００８】
図中、１は内枠、２は外枠で、内外枠１，２は縦部片１ａ，２ａに上下部片１ｂ，２ｂ、１ｃ，２ｃを相対して連設して構成し、外枠２の内側に内枠１を配する一方、前記上下部片１ｂ，２ｂ、１ｃ，２ｃの円弧状の端縁１ｂ´，２ｂ´、１ｃ´，２ｃ´を電柱の円弧状の周面に当接するようにして上下一対二組のバンド片５，５を用いて電柱（支柱）Ｄ面に締付けたものである。
【０００９】
バンド片５は、外枠２の内側に内枠１を配することによって形成される内外枠１，２の前記上部片１ｂ，２ｂ間と下部部片１ｃ，２ｃ間のそれぞれになす環状の基部５ｂを介在させ、該基部５ｂと上部片１ｂ，２ｂ、該基部５ｂと下部片１ｃ，２ｃにそれぞれ貫通させた軸ボルト６の先端にナット７を螺合することによって内外枠１，２と組合わせ、電柱面を巻回させて互いに相対する自由端側先端の緊締受部片５ａ，５ａに締付けボルト８を貫通させて一方の受部片５ａより突出する該ボルト先端に締付けナット９を螺合して前記の通り内外枠１，２を電柱Ｄ面に締付けたものである。
【００１０】
なお、内枠１の縦部片１ａに設けた一対の透孔１０，１０に外枠２の縦部片２ａに該透孔１０に対応させて設けた突子１１を係合して内外枠１，１の安定した組付け状態を得られるようにしてある。
【００１１】
図中、１２，１２は、頭部１２ａを前記内枠１の上下部片２ｂ，２ｃ間に係合し、内枠１の前記縦部片１ａと該縦部片１ａに重ね合わせた外枠２の縦部片２ａのそれぞれに互いに一致するようにして設けた透孔１３，１３を通じて先端１２ｂを内外枠１，２の外部すなわち電柱Ｄ面より突出させた一対の支持ボルトで、支持ボルト１２は、内枠１の上下部片１ｂ，１ｃ間の離開幅より最も広い部分が広い六角状（非円形であれば良い）頭部１２ａを内枠１の上下部片１ｂ，１ｃに介在係合させ、上下部片１ｂ，１ｃ間の離開幅と頭部１２ａの外径との関係によって回動方向に外力を負荷したとき頭部１２ａの外縁が上下部片１ｂ，１ｃの一方又は双方に圧接してその回動が規制されるようにしてある。
【００１２】
そして、実施形態は、バンド片５を用いて電柱Ｄ面に締付けた内外枠１，２に組付けて、電柱Ｄ面に突設した一対の支持ボルト１２を、縦部片１４ａの上下料端に上下部片１４ｂ，１４ｃを相対して連設して構成した断面溝状の座枠１４の縦部片１４ａに設けた透孔１５と、座枠１４の上下部片１４ｂ，１４ｃ間に係合した腕金１６に設けた貫通孔１７を貫通させ（相対的に）、腕金１６より突出するボルト先端１２ｂに支持ナット１８を螺合して腕金１６を電柱Ｄに取付けて構成したものである。
【００１３】
【発明の効果】
本発明は前記の通りの構成であるから、電柱径に対応して腕金を自在に取付けることのできる装置を提供でき、しかも、腕金の支持基枠となる上下枠は一対二組のバンド片で電柱面に締付けた構成を採るから強固に電柱面に取付けられ、支持ボルトは腕金を貫通させたものであるから腕金のずれがなく安定した取付け状態を得られ、また、前記上下枠に腕金を締付ける際においても頭部が内枠に当接してナットの締付けによる共廻りを防止して締付け操作を確実に、強固に行える装置を提供できる。
【図面の簡単な説明】
【図１】一部欠截平面図。
【図２】縦断面図。
【符号の説明】
１      内枠
２      外枠
５      バンド片
６      軸ボルト
７      ナット
８      締付けボルト
９      ナット
１２    支持ボルト
１６    腕金
１８    ナット
【図１】
2005006410.tif 000003
【図２】
2005006410.tif 000004